(57)【要約】      （修正有）【課題】柔らかさ、滑らかさ、強度に優れる汎用タイプのティシュペーパーを提供する。【解決手段】保湿剤が塗布されていない２プライのティシュペーパーであって、１プライあたりの坪量が１０．０〜１６．０ｇ／ｍ2であり、２プライの紙厚が１２０〜２００μｍであり、ソフトネスが１．０以下であり、ＭＤ方向の乾燥引張強度（Ｔ）が２４０〜３００ｃＮ／２５ｍｍであり、動摩擦係数平均値が１．４０〜１．６５である。【選択図】なし【特許請求の範囲】
【請求項１】
保湿剤が塗布されていない２プライのティシュペーパーであって、
１プライあたりの坪量が１０．０〜１６．０ｇ／ｍ2であり、
２プライの紙厚が１２０〜２００μｍであり、
ソフトネスが１．０以下であり、
ＭＤ方向の乾燥引張強度（Ｔ）が２４０〜３００ｃＮ／２５ｍｍであり、
動摩擦係数平均値が１．４０〜１．６５である、
ことを特徴とするティシュペーパー。
【発明の詳細な説明】
【技術分野】
【０００１】
本発明は、ティシュペーパーに関し、特に、保湿剤が塗布されていない汎用ティシュー、汎用タイプとも称される保湿剤非塗布のティシュペーパーに関する。
【背景技術】
【０００２】
ティシュペーパーには、ポリオール等の保湿剤が原紙に外添により付与されたものと、保湿剤が付与されていないティシュペーパーに大別することができる。
【０００３】
保湿剤が付与されたものは保湿ティシュー、薬液付与タイプのティシューなどと称され、その保湿剤による吸湿作用によって、水分率が高められ、柔らかさや滑らかさが向上されている。
【０００４】
これに対して、保湿剤が付与されていないティシュペーパーは、汎用ティシュー、汎用タイプなどとも称される。
【０００５】
この汎用タイプのティシュペーパーは、上記薬液付与タイプのティシュペーパーが、保湿剤の効果による柔らかさの向上に鑑みて、洟かみ、フェイシャル用途に特化しているのに対して、洟かみ、フェイシャル用途のみならず、埃、塵の拭取りなどにも用いられ、その用途が多岐に亘り、特に、低価格であることが求められる。
【０００６】
しかしながら、汎用タイプのティシュペーパーにおいても、洟かみ、フェイシャル用途に用いられる頻度は、非常に高く、その柔らかさや滑らかさなどは需用者において求められるところである。
【先行技術文献】
【特許文献】
【０００７】
【特許文献１】特許第４８７５４８８号
【特許文献２】特許第４４５０５５２号
【特許文献３】特許第４６５８０５６号
【発明の概要】
【発明が解決しようとする課題】
【０００８】
そこで、本発明の主たる課題は、柔らかさ、滑らかさといった消費者の官能評価値が非常に高く、また、洟かみや肌の清拭時に肌を擦るようにして使用した際に、肌への負担が少なく肌表面を傷めず、そのうえ洟をかんださいに破れにくい強度を有する、ポリオール等の保湿剤が外添されていない汎用タイプとも称される保湿剤非塗布のティシュペーパー、なかでも特には安価な保湿剤非塗布のティシュペーパーを提供することにある。
【課題を解決するための手段】
【０００９】
上記課題を解決するための手段は次のとおりである。
【００１０】
〔請求項１記載の発明〕
保湿剤が塗布されていない２プライのティシュペーパーであって、
１プライあたりの坪量が１０．０〜１６．０ｇ／ｍ2であり、
２プライの紙厚が１２０〜２００μｍであり、
ソフトネスが１．０以下であり、
ＭＤ方向の乾燥引張強度（Ｔ）が２４０〜３００ｃＮ／２５ｍｍであり、
動摩擦係数平均値が１．４０〜１．６５である、
ことを特徴とするティシュペーパー。
【発明の効果】
【００１１】
以上の本発明によれば、柔らかさ、滑らかさといった消費者の官能評価値が非常に高く、また、洟かみや肌の清拭時に肌を擦るようにして使用した際に、肌への負担が少なく肌表面を傷めず、そのうえ洟をかんださいに破れにくい強度を有する、汎用タイプとも称される保湿剤非塗布のティシュペーパーが提供される。
【図面の簡単な説明】
【００１２】
【図１】本発明に係る動摩擦係数平均値の測定方法を説明するための図である。◇
【発明を実施するための形態】
【００１３】
以下、本発明の実施形態を説明する。
【００１４】
本発明に係るティシュペーパーは、汎用ティシュー、汎用タイプなどとも称される、保湿剤が塗布等によって外添されていない保湿剤非塗布のティシュペーパーである。
【００１５】
なお、本発明において外添剤として用いない保湿剤とは、グリセリン、ジグリセリン、プロピレングリコール、１，３−ブチレングリコール、ポリエチレングリコール、ソルビトール、グルコース、キシリトール、マルトース、マルチトール、マンニトール、トレハロースといった吸湿性を主たる効果とするものである。
【００１６】
このティシュペーパーのプライ数は、２プライであり、その紙厚は２プライで１２０〜２００μｍであり、１プライあたりの坪量は、１０．０〜１６．０ｇ／ｍ2である。
【００１７】
紙厚が１２０μｍ未満となると特に洟かみ時にやぶれない十分な強度を確保するのが難しくなり、紙厚２００μｍを超えると柔らかさが発現し難くなる。
【００１８】
また、坪量についても１０．０ｇ／ｍ2を下回ると、十分な強度を確保し難くなる。反対に、坪量が１６．０ｇ／ｍ2を超えると、柔らかさが発現し難くなる。また、この坪量１０．０〜１６．０ｇ／ｍ2という坪量は、原料パルプとの関係で、汎用タイプとしてのコストを確保する観点からも重要な範囲である。つまり、上記範囲を超えるような坪量であると、原料コストとの関係で、所謂汎用タイプとしての商品訴求力を確保する価格とするのが困難となる。
【００１９】
ここで、本発明における坪量とは、ＪＩＳ  Ｐ  ８１２４（１９９８）に基づいて測定した値を意味し、紙厚は、試験片をＪＩＳ Ｐ ８１１１（１９９８）の条件下で十分に調湿した後、同条件下でダイヤルシックネスゲージ（厚み測定器）「ＰＥＡＣＯＣＫ Ｇ型」（尾崎製作所製）を用いて測定した値を意味する。
【００２０】
この紙厚測定の具体的手順は、プランジャーと測定台の間にゴミ、チリ等がないことを確認してプランジャーを測定台の上におろし、前記ダイヤルシックネスゲージのメモリを移動させてゼロ点を合わせ、次いで、プランジャーを上げて試料を試験台の上におき、プランジャーをゆっくりと下ろしそのときのゲージを読み取る。このとき、プランジャーをのせるだけとする。プランジャーの端子は金属製で直径１０ｍｍの円形の平面が紙平面に対し垂直に当たるようにし、この紙厚測定時の荷重は、約７０ｇｆである。測定を１０回行って得られる平均値とする。
【００２１】
他方、本発明に係るティシュペーパーは、ソフトネスが１．０以下である。ソフトネスは、柔らかさの指標であり、上記範囲であれば、使用時にしなやかで柔らかさが非常に感じられるものとなる。
【００２２】
ここで、ソフトネスは、ＪＩＳ  Ｌ  １０９６  Ｅ法に準じたハンドルオメータ法に基づいて測定した値をいう。但し、試験片は１００ｍｍ×１００ｍｍの大きさとし、クリアランスは５ｍｍとする。１プライで縦方向、横方向の各々５回ずつ測定し、その全１０回の平均値とする、なお、ソフトネスは、無単位であるが、試験片の大きさを考慮して、ｃＮ／１００ｍｍを単位として表してもよい。
【００２３】
さらに、本発明に係るティシュペーパーにおける２プライでのＭＤ方向（縦方向とも言われる）の乾燥引張強度（Ｔ）が２４０〜３００ｃＮ／２５ｍｍである。２プライでのＭＤ方向（縦方向とも言われる）の乾燥引張強度（Ｔ）が、上記範囲であてば、汎用タイプとして、特に、埃、塵の拭取りなどにも用いる際の強度が十分なものとなる。なお、ここでの乾燥引張強度とは、ＪＩＳ  Ｐ  ８１１３（１９９８）の引張試験に基づいて測定した値をいう。
【００２４】
そして、本発明に係るティシュペーパーは、動摩擦係数平均値が１．４０〜１．６５である。この動摩擦係数平均値が、上記範囲であると、使用時に柔らかさ及び表面の滑らかさが非常に感じられるものとなる。また、実際の洟かみや肌の清拭時に肌を擦るようにして使用しても、肌への負担が少なく肌表面を傷め難くなる。
【００２５】
ここで、本発明に係る動摩擦係数平均値の測定は、ピンオンプレート型摩擦試験装置１を用いて測定することができる。ピンオンプレート型摩擦試験装置としては、すべり速度が０．１〜１００．０ｍｍ／ｓ、垂直荷重が０〜１ｋｇｆ、すべり距離が１〜２００ｍｍから各々適宜選択できるものであればよい。
【００２６】
そして、本発明に係る動摩擦係数平均値の測定は、図１に示すように、まず、前記ピンオンプレート型摩擦試験装置１の水平なプレート２１上に十分な大きさの試料となるティシュペーパー１０を載せてその一方側縁部１１を治具２２等によって固定する。その後に、そのティシュペーパー１０上を、固定方向から非固定縁部１２の方向（図中Ｘ方向）に向かって、すべり速度１．０ｍｍ／ｓ、垂直荷重Ｆを５０ｇｆ、すべり距離５．０ｍｍの条件で接触子２３を接触させつつ水平移動させ、この際の動摩擦係数の平均値を測定する。動摩擦係数平均値とは、各ティシュペーパーサンプルのすべり距離４〜５ｍｍにおける摩擦係数の平均値である。
【００２７】
測定条件は、実験室温２０℃、実験室湿度２０ＲＨ％、潤滑状態は大気中無潤滑である。また、測定試料は、２５℃， ２０％ＲＨ のチャンバに２４時間放置し、試験に供する。なお、測定に際し、接触子２３の移動は、往復摺動させるのではなく、一方摺動して行なう。また、接触子２３は、人の指先程度以上の接触面積、人の指程度の硬度の軟質ウレタン素材で、さらにそのウレタン素材に人の指紋程度の溝を移動方向と直交する方向に沿って複数形成したものとする。この測定を行なう装置の具体例としては、例えば、株式会社トリニティラボ社製、トライボマスター ＴＹＰＥ μｖ１０００が挙げられる。この装置において接触子を同社製のオプションの「感覚接触子」として測定すればよい。
【００２８】
ここで、本発明において上記測定方法によるとりわけ動摩擦係数平均値を採用し、これとソフトネス、２プライでのＭＤ方向（縦方向とも言われる）の乾燥引張強度について、本発明の範囲を満たすものが使用時に柔らかさ及び表面の滑らかさが非常に感じられるものとなる根拠について説明する。本発明者らは、まず、市販品も含め現在入手できる多数のティシュペーパーについて、官能評価試験を行うととともに、ソフトネス、ＭＭＤ、引張強度等の既知の物性値、及び本発明に係る動摩擦係数平均値を含め、滑らかさ及び柔らかさに影響を与えるであろう摩擦に関する種々の測定を行った。この官能評価試験は、試料となる各種ティシュペーパーを、被験者毎に無作為の順で渡し、被験者に、洟をかむ、手で触る、清拭を行なうなど、被験者自身が決定した自由な方法でそのティシュペーパーを使用し、その被験者の自由な使用態様のもと、試料となる各ティシュペーパーの「肌触り」を「好む」、「好まない」の基準のみで、順位付けをすることとし、官能評価値は、その順位付けされた各試料について点数の総和を被験者数で割った値とした。なお、これまでの官能評価は、やわらかさ、なめらかさ、好み、強度などの個々の評価を行い、その総和を評価値とするのが一般的であるが、本官能評価試験は、ティシュペーパーを自由な使用態様で使用した際の第一印象を評価し、使用時の官能性を顕著に表す。そして、この官能評価値と、上記各種物値、摩擦に関する測定値との相関について、単回帰分析及び重回帰分析により分析したところ、ソフトネス、２プライでのＭＤ方向（縦方向とも言われる）の乾燥引張強度、動摩擦係数平均値について各々独立性を有しつつ、官能評価値との相関が高いことが確認され、また、官能評価値と動摩擦係数平均値に関する一定の回帰式を得るに至った。そして、この動摩擦係数平均値に関する回帰式に基づき、従来の汎用タイプのティシュペーパーにおいて、ソフトネス及び２プライでのＭＤ方向（縦方向とも言われる）の乾燥引張強度とともに、達成しえていない動摩擦係数平均値の範囲を有するティシュペーパーを設計するとの思想のもと、後述するように、これら三つの物性値をともに満たすティシュペーパーの完成に至ったのである。それゆえ、本発明に係るティシュペーパーは、上記坪量及び紙厚の範囲内において、換言すれば汎用タイプとしての上記坪量及び紙厚である制約のもと、本発明に係るソフトネス、プライでのＭＤ方向（縦方向とも言われる）の乾燥引張強度（Ｔ）及び動摩擦平均値を満たすものとすることにより、ポリオール等の保湿剤が外添されていない汎用タイプとも称される保湿剤非塗布のティシュペーパーでありながら、官能評価値が非常に高く、また、実際に洟かみや肌の清拭時に肌を擦るようにして使用した際に、肌への負担が少なく肌表面を傷めず、そのうえ洟をかんだ際や塵汚れの拭き取りの際に破れにくい強度を有するものとなっているのである。
【００２９】
ここで、本発明に係るポリオール等の保湿剤が外添されていない汎用タイプとも称される保湿剤非塗布のティシュペーパーでありながら、上記ソフトネス、２プライでのＭＤ方向（縦方向とも言われる）の乾燥引張強度（Ｔ）及び動摩擦平均値を満たすティシュペーパーを製造するには、特定の、柔軟剤化合物、湿潤紙力剤、乾燥紙力剤を組み合わせて使用して、ティシュペーパーを製造すればよい。
【００３０】
その柔軟剤化合物は、脂肪酸エステル系化合物と脂肪酸アミド系化合物であり、湿潤紙力剤は、ポリアミドエピクロロヒドリンであり、乾燥紙力剤は、ポリアクリルアミド及びカチオンデンプンの少なくとも一方である。
【００３１】
前記脂肪酸エステル系化合物は、カチオン性の脂肪酸エステル系化合物、ノニオン性の脂肪酸エステル系化合物のいずれでもよいが、その両者が含まれているのが望ましい。また、脂肪酸エステル系化合物としては、多炭素数が６〜２４のアルコールと炭素数７〜２５の脂肪酸との化合物であるのが望ましい。アルコールは、直鎖アルコール、分岐鎖を有するアルコール、飽和アルコール、及び不飽和アルコールの何れでも良い。特に、炭素数が１０〜２２のアルコールが好ましく、ラウリルアルコール、ミリスチルアルコール、セチルアルコール、ステアリルアルコール、ベヘニルアルコール、及びオレイルアルコールが好ましい。これらはその一種を単独で用いても良いし、二種以上を併用しても良い。また、炭素数７〜２５の脂肪酸としては、直鎖脂肪酸、分岐鎖を有する脂肪酸、飽和脂肪酸、及び不飽和脂肪酸の何れでも良い。特に、炭素数が１０〜２２の脂肪酸が好ましく、ラウリン酸、ミリスチン酸、パルミチン酸、ステアリン酸、ベヘン酸、及びオレイン酸が好ましい。これらはその一種を単独で用いても良いし、二種以上を併用しても良い。
【００３２】
他方、前記脂肪酸アミド系化合物は、ポリアルキレンポリアミンおよびカルボン酸を反応させて得ることができる。好適なポリアルキレンポリアミンは、分子中に少なくとも３個のアミノ基を有する、次式（１）で示されるものである。
【００３３】
Ｈ２Ｎ−（Ｒ１−ＮＨ−）ｎ−Ｒ１−ＮＨ２・・・（１）
【００３４】
（Ｒ１は各々独立して炭素数１〜４のアルキレン基、ｎは１〜３の整数）  このポリアクリルアミンにおいては、分子中に異なるＲ１が存在していてもよい。また、２種以上のポリアルキレンポリアミンを用いることも可能である。好ましいＲ１はエチレン基である。前記カルボン酸としては、炭素数１０〜２４のカルボン酸が望ましく、飽和カルボン酸、不飽和カルボン酸のいずれであってもよい。また、直鎖状カルボン酸、分岐鎖を有するカルボン酸のいずれであってもよい。中でも炭素数１２〜２２のカルボン酸が好ましく、特に炭素数１４〜１８のカルボン酸が好ましい。
【００３５】
さらに、本発明に係るティシュペーパーの製造は、上記動摩擦係数平均値、ソフトネス、ＭＤ方向の乾燥引張強度（Ｔ）を達成すべく、上記坪量及び紙厚、特定の柔軟剤化合物、湿潤紙力剤及び乾燥紙力剤の使用のもと、さらに下記（１）〜（３）の何れか又はその組み合わせの要件を満たすようにすればよい。
【００３６】
すなわち（１）脂肪酸エステル系化合物の含有量が、パルプ繊維１００質量部に対して０．０１〜０．３０質量部、脂肪酸アミド系化合物の含有量が、パルプ繊維１００質量部に対して０．０１〜０．２０質量部、湿潤紙力剤の含有量がパルプ繊維１００質量部に対して０．１〜１．０質量部、乾燥紙力剤の含有量がパルプ繊維１００質量部に対して０．０１〜０．２０質量部となるようにする。
【００３７】
（２）湿潤紙力剤及び乾燥紙力剤の合計含有量に対する柔軟剤化合物の合計含有量の比（（柔軟剤化合物）／（湿潤紙力剤＋乾燥紙力剤））が０．３０以下となるようにする。
【００３８】
（３）脂肪酸アミド系化合物及びポリアミドエピクロロヒドリン、ポリアクリルアミドの合計含有量に対する脂肪酸エステル系化合物の含有量の比（（脂肪酸エステル系化合物）／（脂肪酸アミド系化合物＋ポリアミドエピクロロヒドリン＋ポリアクリルアミド））が０．２０以下となるようにする。
【００３９】
本発明に係るティシュペーパーにおける動摩擦係数平均値、ソフトネス、ＭＤ方向の乾燥引張強度（Ｔ）の範囲への調整は、上記坪量及び紙厚において上記の柔軟剤化合物、乾燥紙力剤、湿潤紙力剤を用い、さらに上記（１）〜（３）の要件を満たすことで容易に達成でき、さらなる調整については、クレープ率やパルプ繊維の種類及び組成比によって行うことができる。なお、クレープ率は、１３〜２０％の範囲で調整するのがよい。クレープ率が１３％未満となると、上記柔軟剤化合物、湿潤紙力剤、乾燥紙力剤及び乾燥引張強度（Ｔ）との関係で十分な伸び、柔らかさを確保するのが難しくなり、２０％を超えると、滑らかさが発現し難くなる。また、パルプ繊維は、ＮＢＫＰ（針葉樹クラフトパルプ）とＬＢＫＰ（広葉樹クラフトパルプ）とを配合したものが望ましい。特に、パルプ繊維が、ＮＢＫＰとＬＢＫＰのみから構成されているのがよく、配合割合が、ＮＢＫＰ：ＬＢＫＰ＝２０：８０〜８０：２０がよく、特に、ＮＢＫＰ：ＬＢＫＰ＝３０：７０〜６０：４０が望ましい。このＮＢＫＰとＬＢＫＰとの配合比によって、紙力、ソフトネス等を調整することができる。
【００４０】
ここで、上記（１）の要件に関しては、柔軟剤化合物として、脂肪酸エステル系化合物と脂肪酸アミド系化合物の組み合わせとし、さらに湿潤紙力剤としてポリアミドエピクロロヒドリン、乾燥紙力剤としてポリアクリルアミド及びカチオンデンプンの少なくとも一方の組み合わせとするとともに、各々の含有量を上記範囲とすることにより、柔らかさ、滑らかさ及び強度が十分に向上され、消費者の官能評価値が非常に高いものとなる。
【００４１】
つまり、本発明に係るティシュペーパーは、上記の限定した特定の柔軟剤化合物、湿潤紙力剤及び乾燥紙力剤を用い、さらに所定のパルプ繊維に対する質量比とすることで、薬液非塗布の汎用タイプでありながら、各々の薬剤の効果が阻害されず相乗の効果が得られる。柔軟剤化合物によるコシの低下等による柔らかさの発現を達成しつつ、柔軟剤化合物の弊害である紙力の低下をその柔軟剤化合物の効果を阻害せずに紙力が向上され、柔らかさ及び滑らかさの向上と紙力の維持がなされるのである。ここで、上記柔軟剤化合物、湿潤紙力剤及び乾燥紙力剤は、汎用タイプのティシュペーパーの製造方法の常法に従って、内添剤として用いる。すなわち、パルプ繊維となる原料パルプに対して、柔軟剤化合物、湿潤紙力剤及び乾燥紙力剤を添加した抄紙原料（紙料とも言われる）を抄紙することによって製造する。
【００４２】
また、上記（２）の要件に関しては、本発明に係るティシュペーパーは、柔軟剤化合物として、脂肪酸エステル系化合物と脂肪酸アミド系化合物の組み合わせとし、さらに湿潤紙力剤としてポリアミドエピクロロヒドリン、乾燥紙力剤としてポリアクリルアミド及びカチオンデンプンの少なくとも一方の組み合わせとするとともに、湿潤紙力剤及び乾燥紙力剤の合計含有量に対する柔軟剤化合物の合計含有量の比を０．３０以下とすることで、柔らかさ、滑らかさ及び強度が十分に向上されたものとなる。つまり、上記範囲とすることで、柔軟剤化合物によるコシの低下等による柔らかさの発現を達成しつつ、柔軟剤化合物の弊害である紙力の低下をその柔軟剤化合物の効果を阻害せずに紙力が向上され、柔らかさ及び滑らかさの向上と紙力の維持がなされ、消費者の官能評価値が非常に高くなるのである。ここで、柔軟剤化合物の比率が高く０．３０を超えると、柔軟剤化合物による紙力の低下を抑えられなくなり、パルプ繊維を叩解して紙力を向上させる手法を取らなくてはならず、これによりパルプ繊維が傷つくことで滑らかさの悪化につながるとともに、柔らかさの改善も見込めない。また、湿潤紙力剤と乾燥紙力剤の比率が低く０．３０を超える場合、紙力の発現が難しくなる。
【００４３】
また、上記（３）の要件に関しては、本発明に係るティシュペーパーは、脂肪酸アミド系化合物及びポリアミドエピクロロヒドリン、ポリアクリルアミドの合計含有量に対する脂肪酸エステル系化合物の含有量の比（（脂肪酸エステル系化合物）／（脂肪酸アミド系化合物＋ポリアミドエピクロロヒドリン＋ポリアクリルアミド））が０．２０以下とすることで、柔らかさ、滑らかさ及び強度が十分に向上され、消費者の官能評価値が非常に高いものとなる。
【００４４】
脂肪酸エステル系化合物は、ティシュペーパー表面の濡れ性やふっくらさ（ふんわりさ）を改善する効果を有し、脂肪酸アミド系化合物、ポリアミドエピクロロヒドリン、ポリアクリルアミド、カチオンデンプンは、繊維表面をコーティングする効果を有し、これらの柔軟剤化合物、湿潤紙力剤及び乾燥紙力剤を用いることで、柔らかさのみならず表面の滑らかさが向上される。特に、汎用タイプのティシュペーパーの製造方法の常法に従って内添剤として用いることで、ヤンキドライヤーで湿紙乾燥がなされる際に、脂肪酸エステル系化合物がパルプ繊維になじむとともに、脂肪酸アミド系化合物、ポリアミドエピクロロヒドリン、ポリアクリルアミド、カチオンデンプンがパルプ繊維をコーティングする効果が助長され、滑らかさが向上する。但し、これら特定の柔軟剤化合物、湿潤紙力剤及び乾燥紙力剤を用いても、上述の坪量、紙厚の範囲において上記（３）の要件を満たさない場合には、滑らかさが発現しがたい場合もある。つまり、坪量及び紙厚が上記範囲外となると密度が疎となり、本発明に係る特定の柔軟剤化合物、湿潤紙力剤及び乾燥紙力剤を用いてもパルプ繊維自体のざらつきが感じられて、滑らかさが感じられがたいものとなる場合がある。
【００４５】
なお、特に上記（２）〜（３）の要件においては、柔軟剤化合物、湿潤紙力剤及び乾燥紙力剤における上記パルプ繊維に対する質量比で含有することに拘泥されないが、上記（１）の要件とともに満たすようにすると滑らかさ、柔らかさ、紙力の向上効果、消費者の官能評価値、において特に顕著な効果が見られる。なお、上記（２）及び（３）の要件における含有量とは、パルプ繊維当たりの質量部を基準とする。
【実施例】
【００４６】
次いで、本発明に係るティシュペーパーの実施例１〜３と比較例１〜９とについて、坪量、紙厚、縦横の乾燥及び湿潤引張強度、伸び、ソフトネス、伸び、ＭＭＤ、動摩擦係数平均値の物性値を測定するとともに官能評価を行った。
【００４７】
比較例１〜３は作成によるものであり、比較例４〜９は市販品である。また、比較例４及び５は、薬液が塗布されていないものであるが、坪量が比較的高く、価格も高いものである。なお、各例はすべて保湿剤が塗布されていないものである。各例における組成・物性値は、下記表１に示すとおりである。
【００４８】
なお、ＭＭＤの測定は、摩擦子の接触面を所定方向に２０ｇ／ｃｍの張力が付与された測定試料の表面に対して２５ｇの接触圧で接触させながら、張力が付与された方向と略同じ方向に速度０．１ｃｍ／ｓで２ｃｍ移動させ、このときの、摩擦係数を、摩擦感テスター  ＫＥＳ−ＳＥ（カトーテック株式会社製）を用いて測定する。その摩擦係数を摩擦距離（移動距離＝２ｃｍ）で除した値がＭＭＤである。摩擦子は、直径０．５ｍｍのピアノ線Ｐを２０本隣接させてなり、長さ及び幅がともに１０ｍｍとなるように形成された接触面を有するものとする。接触面には、先端が２０本のピアノ線Ｐ（曲率半径０．２５ｍｍ）で形成された単位膨出部が形成されているものとする。
また、伸びは、ＪＩＳ  Ｐ  ８１１３（１９９８）に基づくものである。
【００４９】
【表１】
2017055808.tif 000002
【００５０】
表１の結果を観てみると、各例のなかでも本発明に係る実施例１〜３について、官能評価値が高いとの結果となっている。
【００５１】
一方、比較例６〜比較例７は、特に動摩擦係数平均値、２プライでのＭＤ方向の乾燥引張強度が本発明の範囲より高くなっており、官能評価値は非常に低い。また、比較例１〜３は、動摩擦係数平均値は、本発明の範囲内であるが、ソフトネスと２プライでのＭＤ方向の乾燥引張強度のいずれかが、本発明の範囲外であり、このような動摩擦係数平均値のみが本発明の範囲内であるものも、官能評価値は低い。さらに、比較例４は、ソフトネスと２プライでのＭＤ方向の乾燥引張強度の両方が本発明の範囲外であり、これも官能評価値は低い。比較例５は、坪量が高く、非保湿ティシューのなかでも、やや高価なものであるが、ソフトネスが本発明の範囲外となっており、官能評価値は、本発明の実施例に及ばない。
【００５２】
以上のことからして、動摩擦係数平均値、２プライでのＭＤ方向の乾燥引張強度、ソフトネスの三つの物性値が、ともに本発明の範囲内であることにより、官能評価値に優れるようになる。すなわち、本発明により、柔らかさ、滑らかさ、強度が向上して発現し、もって、洟かみや肌の清拭時に肌を擦るようにして使用しても、肌への負担が少なく肌表面を傷めず、そのうえ洟をかんだ際に破れにくい強度を有する、汎用タイプとも称される保湿剤非塗布のティシュペーパーが得られる。
【符号の説明】
【００５３】
１…動摩擦係数平均値測定装置、１０…ティシュペーパー試料、２１…プレート、２２…治具、２３…接触子。
【図１】
2017055808.tif 000003